(57)【要約】【課題】界磁組立体の固定を簡単にして、安価な電動送風機を提供する。【解決手段】吸引風を発生させる送風ファン１８を回転駆動する電動機機構部４と、送風ファン１８を内包するファンケース３と、電動機機構部４を内包するとともに、ファンケース３に取り付けられる本体ブラケット１を備え、電動機機構部４は、一端に送風ファン１８が取り付けられた回転軸８を有する電機子７と、電機子７の外周に配置され、磁界を発生させる界磁組立体１０とを有し、界磁組立体１０の端部に弾力性を有する複数の爪２０を形成し、本体ブラケット１に爪２０と係合する横孔２２を形成したもので、組立工程において従来のポンチ打ちなどの作業を一切必要とせず、鋼板製の本体ブラケット１に界磁組立体１０を圧入するだけで、複数の爪２０が横孔２２に係合して、界磁組立体１０が固定されるので、製造コストを削減することができる。【選択図】図１
2014070532.tif 000002
【特許請求の範囲】
【請求項１】
吸引風を発生させる送風ファンと、前記送風ファンを回転駆動する電動機機構部と、前記送風ファンを内包するファンケースと、前記電動機機構部を内包するとともに、前記ファンケースに取り付けられる本体ブラケットを備え、前記電動機機構部は、一端が前記本体ブラケットに回転可能に保持され、他端に前記送風ファンが取り付けられる回転軸を有する電機子と、前記電機子の外周に配置され、磁界を発生させる界磁組立体とを有し、前記界磁組立体の端部には、弾力性を有する複数の爪が形成されており、前記本体ブラケットには、前記爪と係合する横孔が形成されており、前記界磁組立体は、前記複数の爪が前記横孔に係合されることで、前記本体ブラケットに保持固定される電動送風機。
【発明の詳細な説明】
【技術分野】
【０００１】
本発明は、電気掃除機など風力を利用する各種電気機器に用いられる電動送風機に関するものである。
【背景技術】
【０００２】
従来、この種の電動送風機は、鋼板製の本体ブラケットを使用する場合は、図３の半断面図に示すような構成になっている（例えば、特許文献１参照）。
【０００３】
図３において、従来の電動送風機は、有底円筒状である鋼板製の本体ブラケット１の開口部１ａに負荷側ブラケット２が固定され、負荷側ブラケット２には、ファンケース３が圧入固定されて外殻が構成されている。
【０００４】
本体ブラケット１には、周知の電動機と同様の構造である電動機機構部４が収納されている。電動機機構部４は、可動側機構であるトルクを発生する電機子７に圧入固定された回転軸８が本体ブラケット１の筒心方向に配置されて両端部を軸受９でそれぞれ回転自在に支持されている。電機子７は、電機子巻線６と、整流子１５を有し、電機子巻線６と回転軸８は、軸絶縁５で電気的に絶縁されている。整流子１５にはカーボンブラシ１６を通じて電力が供給される。
【０００５】
一方、電動機機構部４の固定側機構である界磁組立体１０は、電磁鋼板を積層した界磁鉄心１１に巻枠１２を介して界磁巻線１３が施された構成になっており、この界磁組立体１０は、界磁鉄心１１が本体ブラケット１に形成された複数個の受け部１４と係止突部１７とにより両端部が挟持されることにより、本体ブラケット１に固定されている。
【０００６】
また、回転軸８における負荷側ブラケット２を貫通した先端部には送風ファン１８が取り付けられており、送風ファン１８を回転させることにより発生する風を本体ブラケット１内に導くエアガイド１９が、送風ファン１８と負荷側ブラケット２との間に配置されて負荷側ブラケット２に固定されている。
【先行技術文献】
【特許文献】
【０００７】
【特許文献１】特開平９−２１５２５０号公報
【発明の概要】
【発明が解決しようとする課題】
【０００８】
しかしながら、上記特許文献１に記載されたような従来の電動送風機の構成では、界磁組立体１０を本体ブラケット１へ固定するに際して、以下のような手段で行っている。すなわち、鋼板製の本体ブラケット１には、内方への切り起こしにより受け部１４が予め形成されている。そして、組立工程において界磁組立体１０を本体ブラケット１内に挿入して界磁鉄心１１の一端面（図の下端面）を受け部１４に当接させることにより、界磁組立体１０を回転軸８の軸方向に対し一方向（図の下方向）への位置決めを行う。
【０００９】
その後に、Ａ矢印で示すように、本体ブラケット１における界磁鉄心１１の他端部（図の上端部）に対応する箇所を外部からポンチ打ちして内方に凹ませて、係止突部１７を形成する。それにより、界磁組立体１０の界磁鉄心１１が受け部１４と係止突部１７とにより挟持固定されて、本体ブラケット１に取り付けられる。このように、鋼板製の本体ブラケット１を使用する場合は、界磁組立体１０を受け部１４に当接させた状態で係止突部１
７を形成するためのポンチ打ち工程を必要とするため、工数が比較的多くなり、製造コストが高価になるという課題を有していた。
【００１０】
本発明は、上記従来の課題を解決するもので、安価で電動機機構部における界磁組立体の固定を簡単にすることができる電動送風機を提供することを目的とする。
【課題を解決するための手段】
【００１１】
上記従来の課題を解決するために、本発明の電動送風機は、吸引風を発生させる送風ファンと、前記送風ファンを回転駆動する電動機機構部と、前記送風ファンを内包するファンケースと、前記電動機機構部を内包するとともに、前記ファンケースに取り付けられる本体ブラケットを備え、前記電動機機構部は、一端が前記本体ブラケットに回転可能に保持され、他端に前記送風ファンが取り付けられる回転軸を有する電機子と、前記電機子の外周に配置され、磁界を発生させる界磁組立体とを有し、前記界磁組立体の端部には、弾力性を有する複数の爪が形成されており、前記本体ブラケットには、前記爪と係合する横孔が形成されており、前記界磁組立体は、前記複数の爪が前記横孔に係合されることで、前記本体ブラケットに保持固定されるもので、組立工程において従来のポンチ打ちなどの作業を一切必要とせず、鋼板製の本体ブラケットに界磁組立体を圧入するだけで界磁組立体が固定でき、製造コストを削減することができる。
【発明の効果】
【００１２】
本発明の電動送風機は、電動機機構部の固定側の界磁組立体を鋼板製の本体ブラケットに設けた横孔と界磁組立体に設けた爪とで固定することで、ポンチ打ち工程を必要としないことから製造コストを削減することができる。
【図面の簡単な説明】
【００１３】
【図１】本発明の実施の形態１における電動送風機の半断面図
【図２】（ａ）同電動送風機の界磁組立体の上面図、（ｂ）同界磁組立体の下面図、（ｃ）同電動送風機の要部拡大断面図
【図３】従来の電動送風機の半断面図
【発明を実施するための形態】
【００１４】
第１の発明は、吸引風を発生させる送風ファンと、前記送風ファンを回転駆動する電動機機構部と、前記送風ファンを内包するファンケースと、前記電動機機構部を内包するとともに、前記ファンケースに取り付けられる本体ブラケットを備え、前記電動機機構部は、一端が前記本体ブラケットに回転可能に保持され、他端に前記送風ファンが取り付けられる回転軸を有する電機子と、前記電機子の外周に配置され、磁界を発生させる界磁組立体とを有し、前記界磁組立体の端部には、弾力性を有する複数の爪が形成されており、前記本体ブラケットには、前記爪と係合する横孔が形成されており、前記界磁組立体は、前記複数の爪が前記横孔に係合されることで、前記本体ブラケットに保持固定されるもので、組立工程において従来のポンチ打ちなどの作業を一切必要とせず、鋼板製の本体ブラケットに界磁組立体を圧入するだけで界磁組立体が固定でき、製造コストを削減することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における電動送風機の半断面図、図２（ａ）は、同電動送風機の界磁組立体の上面図、図２（ｂ）は、同界磁組立体の下面図、図２（ｃ）同電動送風機の要部拡大断面図である。なお、以下の説明では、同一または相当する部分には同
一符号を付し、重複する説明は省略する。
【００１７】
図１、図２において、本実施の形態における電動送風機は、鋼板製の本体ブラケット１の開口部１ａに負荷側ブラケット２が固定され、負荷側ブラケット２にはファンケース３が圧入固定されて外殻が構成されている。本体ブラケット１には、周知の電動機と同様の構造である電動機機構部４が収納されている。電動機機構部４は、可動側機構であるトルクを発生する電機子７に圧入固定された回転軸８が本体ブラケット１の筒心方向に配置されて両端部を軸受９でそれぞれ回転自在に支持されている。
【００１８】
電機子７は、電機子巻線６と、整流子１５を有し、電機子巻線６と回転軸８は、軸絶縁５で電気的に絶縁されている。整流子１５にはカーボンブラシ１６を通じて電力が供給される。
【００１９】
一方、電動機機構部４の固定側機構である界磁組立体１０は、電磁鋼板を積層した界磁鉄心１１に巻枠１２を介して界磁巻線１３が施された構成になっており、この界磁組立体１０は、界磁鉄心１１が本体ブラケット１に形成された複数個の受け部１４と巻枠１２の四隅に複数個の弾性力を持たせた爪２０により両端部を挟持されることで、本体ブラケット１に固定されている。
【００２０】
また、回転軸８における負荷側ブラケット２を貫通した先端部には送風ファン１８が取り付けられており、送風ファン１８を回転させることにより発生する風を本体ブラケット１内に導くエアガイド１９が、送風ファン１８と負荷側ブラケット２との間に配置されて負荷側ブラケット２に固定されている。
【００２１】
以上のように構成された本実施の形態における電動送風機について、以下その動作、作用を説明する。
【００２２】
図２（ａ）及び図２（ｂ）において、巻枠１２は四隅の端部に複数個の界磁鉄心１１の径よりも延長した爪２０を有し、溝２１を形成することにより弾性力を持たせている。本体ブラケット１に界磁組立体１０を圧入する時に、巻枠１２に設けられ弾性力を持たせた爪２０は、本体ブラケット１の寸法より大きいため圧入時に縮む。その後、規定の寸法に圧入されると界磁組立体１０は本体ブラケット１に予め設けられた受け部１４によって止まる。同時に界磁組立体１０の他端部（図の上側）も、巻枠１２の端部に設けられた溝２１を形成したことによって弾性力を持たせた爪２０が本体ブラケット１に設けられた横孔２２に引っ掛かり、界磁組立体１０を本体ブラケット１に固定することができる（図２（ｃ））。
【００２３】
以上のように、本実施の形態における電動送風機は、界磁組立体１０の巻枠１２の四隅において溝２１を形成することによって弾性力を持たせた複数個の爪２０が、それに対応する本体ブラケット１の横孔２２に引っ掛かることで固定され、これによりポンチ打ち工程を無くすことができ、製造コストを削減することができる。
【産業上の利用可能性】
【００２４】
以上のように、本発明にかかる電動送風機は、ポンチ打ち工程が無くなるので、界磁鉄心に機械的に歪を与えることがなく、それにより効率の向上、バラツキの少ない電気掃除機の実現に適用できる。
【符号の説明】
【００２５】
１  本体ブラケット
２  負荷側ブラケット
３  ファンケース
４  電動機機構部
５  軸絶縁
６  電機子巻線
７  電機子
８  回転軸
９  軸受
１０  界磁組立体
１１  界磁鉄心
１２  巻枠
１３  界磁巻線
１４  受け部
１５  整流子
１６  カーボンブラシ
１７  係止突部
１８  送風ファン
１９  エアガイド
２０  爪
２１  溝
２２  横孔
【図１】
2014070532.tif 000003
【図２】
2014070532.tif 000004
【図３】
2014070532.tif 000005